(57)【要約】【課題】  切断線３を介して複数の区画片に分離可能な連接シート１の各区画片にそれぞれ開口を形成し、各開口にそれぞれ抜き取り可能に容器２を挿入して、複数の容器２を分離可能な連接シート１に保持させた連接容器において、容器２が連接シート１から不用意に抜け出ることがなく、しかも連接シート１からの容器の抜き取り時には、これを容易に行うことができるようにする。【解決手段】  連接シート１の各開口４を平面楕円形とする一方、容器２に、上縁外方に張り出したフランジ部８と、側壁の上部外周にフランジ部８より小さな外径で突出した円環状リブ部とを設け、この容器２を、フランジ部８と円環状リブ部との間に前記開口の短径方向の周縁部を挟んで開口に挿入する。【選択図】  図１
2007076667.tif 000002
【特許請求の範囲】
【請求項１】
切断線を介して複数の区画片に分離可能な連接シートの各区画片にそれぞれ開口が形成されており、各開口にそれぞれ抜き取り可能に容器が挿入された連接容器において、連接シートの各開口が平面楕円形をなす一方、容器が、上縁外方に張り出したフランジ部と、側壁の上部外周にフランジ部より小さな外径で突出した円環状リブ部とを有し、しかもフランジ部と円環状リブ部との間に、前記開口の短径方向の周縁部を挟んで開口に挿入されていることを特徴とする連接容器。
【請求項２】
円環状リブ部が、開口の長径より小さく、短径より大きい外径で形成されていることを特徴とする請求項１に記載の連接容器。
【請求項３】
連接シートが、十字形に設けられた切断線を介して４つの区画片に分離可能で、しかも連接シートの周縁が切り離しラインとの交差部を除いて下向きにカールした補強部となっていることを特徴とする請求項１又は２に記載の連接容器。
【請求項４】
十字形に設けられた切断線同士の交差部に打ち抜き孔が形成されていることを特徴とする請求項３に記載の連接容器。
【発明の詳細な説明】
【技術分野】
【０００１】
本発明は、例えば食品などの被包装物を１回の使用量単位で収容することができる複数の容器を分離可能に連ねた連接容器に関する。
【背景技術】
【０００２】
従来、ケーキやプリンなどの焼成用の容器を分離可能に連ねた連接容器としては、特許文献１に示されるようなものが知られている。つまり、切断線を介して複数の区画片に分離可能な連接シートの各区画片にそれぞれ円形の開口を形成し、各開口にそれぞれ抜き取り可能に平面円形の容器を挿入して、複数の容器を分離可能な連接シートに保持させた連接容器が知られている。特に特許文献１の第１図及び第２図に示される連接容器は、上縁外方にフランジ部が張り出した容器を底部から上記開口に挿入し、フランジ部を開口周縁部に掛けたものとなっている。特許文献１の第３図に示される連接容器は、フランジ部を内側に横Ｕ字形に屈曲させた折曲げ部として、この折り曲げ部間に開口部周縁を挟み込んだものとなっている。
【０００３】
【特許文献１】特許第２５１１０３１号公報
【発明の開示】
【発明が解決しようとする課題】
【０００４】
しかしながら、特許文献１の第１図及び第２図に示される連接容器は、いわば連接シートに容器を吊り下げ状態に保持させたものであるので、これをテーブル上などに置いたときに連接シートがずり下がって容器が抜け出てしまい、全体を再び持ち上げる際などの取り扱い性が悪い問題がある。
【０００５】
また、特許文献１の第３図に示される連接容器は、折り曲げ部間に開口部周縁を挟み込んだものとなっているので、連接シートから容器を抜き出しにくい問題がある。
【０００６】
本発明は、上記従来の問題点に鑑みてなされたもので、切断線を介して複数の区画片に分離可能な連接シートの各区画片にそれぞれ開口を形成し、各開口にそれぞれ抜き取り可能に容器を挿入して、複数の容器を分離可能な連接シートに保持させた連接容器において、容器が連接シートから不用意に抜け出ることがなく、しかも連接シートからの容器の抜き取り時には、これを容易に行うことができるようにすることを目的とする。
【課題を解決するための手段】
【０００７】
上記目的のために、本発明は、切断線を介して複数の区画片に分離可能な連接シートの各区画片にそれぞれ開口が形成されており、各開口にそれぞれ抜き取り可能に容器が挿入された連接容器において、連接シートの各開口が平面楕円形をなす一方、容器が、上縁外方に張り出したフランジ部と、側壁の上部外周にフランジ部より小さな外径で突出した円環状リブ部とを有し、しかもフランジ部と円環状リブ部との間に、前記開口の短径方向の周縁部を挟んで開口に挿入されていることを特徴とする連接容器を提供するものである。
【０００８】
また、上記本発明は、円環状リブ部が、開口の長径より小さく、短径より大きい外径で形成されていること、
連接シートが、十字形に設けられた切断線を介して４つの区画片に分離可能で、しかも連接シートの周縁が切り離しラインとの交差部を除いて下向きにカールした補強部となっていること、
十字形に設けられた切断線同士の交差部に打ち抜き孔が形成されていること、
をその好ましい態様として含むものである。
【発明の効果】
【０００９】
本発明によれば、容器のフランジ部と円環状リブとの間に開口周縁部が部分的に挟まれていることで、容器と連接シート間の適度な接合状態が得られ、本連接容器をテーブルなどの上に置いたり持ち上げたりするときに、容器が連接シートから抜け出てしまうことを防止できる。
【００１０】
一方、容器のフランジ部と円環状リブとの間に挟み込んでいるのは、平面楕円形をなす開口の短径方向の周縁部であることから、容器を開口の短径方向に少し押し潰すようにすると、円環状リブが引っ込められて、この挟み込みを容易に解除することができる。また、この容器の押し潰し時に、容器は押し潰し方向と直角方向に若干膨出するが、この膨出は楕円形をなす開口の長径方向に生じるため、この方向の開口の周縁部に円環状リブ部９が引っ掛かるのも防止することができる。したがって、上記のように若干容器を押し潰して持ち上げることで、容易に容器を連接シートから抜き取ることができる。
【発明を実施するための最良の形態】
【００１１】
以下、図面に基づいて本発明に係る連接容器の一例を説明する。
【００１２】
図１は、本発明に係る連接容器の一例を示す斜視図、図２は連接シートの平面図、図３は連接シートの１区画片を容器ごと分離した状態の側面図、図４は連接シートの１区画片を容器ごと分離した状態の断面図である。なお、各図において同じ符号は同じ部材又は部位を示す。
【００１３】
図１に示されるように、本例の連接容器は、連接シート１と複数の容器２とを備えたものとなっている。
【００１４】
連接シート１は、十字形に形成された切断線３により、４つの区画片に分離可能となっている。切断線３は、これに沿った切り離しを容易にするためのもので、例えばミシン目、断続的なスリットなどによって構成することができる。連接シート１は、例えば紙、ポリプロピレンなどの合成樹脂で構成することができるが、廃棄処理が容易であることから、紙が好ましい。
【００１５】
さらに連接シート１について説明すると、図２に示されるように、連接シート１の各区画片には、それぞれ平面楕円形の開口４が形成されている。本例における開口４は、連接シート１の対角線方向に長径方向を向けて形成されているが、この方向には特に制限はない。
【００１６】
図４に示されるように、連接シート１の周縁部は、下方にカールした補強部５となっている。この補強部５は、連接シート１全体及び分離した場合の各区画片に腰を持たせるためのもので、この補強部５を設けることにより、連接シート１の厚みを薄くすることができ、廃棄物の減量を図ることができる。特に本例のように、十字形の切取線３で４つの区画片１ａ〜１ｄに分離可能としておくと、各区画片を分離した場合に、各区画片のいずれにもその２辺に補強部を残すことができ、分離後の各区画片の腰も維持しやすい利点がある。例えば、冷凍食品の包装に用いた場合、通常、区画片が付いたまま容器２を電子レンジに入れて加熱し、区画片を取っ手代わりに持って取り出すことになる。この時、区画片に十分な腰が維持されていると、取り出し作業が行いやすくなる。
【００１７】
図１及び図２に示されるように、切断線３の末端が接する連接シート１の周縁部には切欠部６が形成されており、上記補強部５が形成されていない状態となっている。この切欠部６によって補強部５を除去しておくことで、切断線３に沿った切り離しが補強部５の存在によって行いにくくなるのを防止することができる。
【００１８】
また、十字形に形成された切断線３の交差部には、打ち抜き孔７が形成されている。この打ち抜き孔７は、例えば１つの区画片のみを分離しやすくするためのものである。つまり、打ち抜き孔７がない場合、１つの区画片のみを分離するには、切り離しを切断線３の交差部で一旦止めて、それまでの切り離し方向とは直角方向の切断線３を切り離さなければならない。しかし、ともすると、切り離しが切断線３の交差部を越えて直進してしまい、余分な箇所まで切り離してしまいがちとなる。この打ち抜き孔７は、切断線３に沿った切り離しを、中央部で確実に止めることができるようにし、切り離し作業を容易にするためのものである。
【００１９】
図１に示されるように、容器２は、例えば冷凍食品を１回分ずつ小分け収納できる大きさをなし、上記連接シート１の各区画片に１個ずつ設けられている。この容器２も、連接シート１と同様に、例えば紙、ポリプロピレンなどの合成樹脂で構成することができるが、廃棄処理が容易であることから、紙が好ましい。
【００２０】
容器２は、図１、図３及び図４に示されるように、平面円形のカップ状をなしている。特に図４に明示されるように、容器２は、上縁外方に突出するフランジ部８と、側壁の上部外周にフランジ部８より小さな外径で突出した円環状リブ部９とを有している。
【００２１】
この容器２は、前記連接シート１の開口４（図２参照）に、底部側から上記円環状リブ部９を越えて押し込まれ、連接シート１の開口４の周縁部にフランジ部８が掛けられている。また、図２に破線で示されるフランジ部８と円環状リブ部９の位置関係及び図４の状態から明らかなように、フランジ部８と円環状リブ部９との間に、開口４の短径方向の周縁部を挟んでいる。この挟み込みによって、容器２は不用意に連接シート１の開口４から抜け出ないようになっている。
【００２２】
一方、容器２を連接シート１又は各区画片から抜き出す場合、容器２を開口４の短径方向に若干押し潰せば、上記環状リブ部９が引っ込められて、開口４の周縁部から外れるので、上記フランジ部８と円環状リブ部９による挟み込みが解除され、容器２を持ち上げれば容易に開口４から抜き出すことができる。また、容器２が押し潰し方向とは直角方向に多少膨出しても、図２に示されるように、この方向が開口４の長径方向となるので、開口４の長径方向の周縁部に円環状リブ部９が引っ掛かるのも防止することができる。
【００２３】
フランジ部８の外径は、開口４の長径より大きいことが好ましい。このようにすると、フランジ部８で開口４を覆い隠すことができ、包装体としたときの外観を向上させることができる。また、円環状リブ部９は、開口４の長径より小さく、短径より大きい外径で形成されるものであるが、具体的寸法は、被包装物の重量や容器２の大きさなどの応じて、容器２の不用意な抜け出し防止と、容易な抜き抜き性を両立させることができるように調整することが好ましい。
【図面の簡単な説明】
【００２４】
【図１】本発明に係る連接容器の一例を示す斜視図である。
【図２】連接シートの平面図である。
【図３】連接シートの１区画片を容器ごと分離した状態の側面図である。
【図４】連接シートの１区画片を容器ごと分離した状態の断面図である。
【符号の説明】
【００２５】
１  連接シート
２  容器
３  切断線
４  開口
５  補強部
６  切欠部
７  打ち抜き孔
８  フランジ部
９  円環状リブ部
【図１】
2007076667.tif 000003
【図２】
2007076667.tif 000004
【図３】
2007076667.tif 000005
【図４】
2007076667.tif 000006